(57)【要約】【課題】電気料金の情報に基づいて建物に供給される電力の制御を行う。【解決手段】情報センター８０は、建物１０に供給される電力の料金プラン及び電気料金に係る情報に基づいて建物１０に供給される電力の制御プランを設定する。ＨＥＭＳ３０は、情報センター８０から制御プランをネットワーク６０介して取得し、取得した制御プランを表示部に表示させる。【選択図】図１
2013236517.tif 000002
【特許請求の範囲】
【請求項１】
複数の料金プラン及び電気料金に係る情報を情報センターから受信する受信手段と、
前記受信手段が受信した複数の料金プラン及び電気料金に係る情報を表示する表示手段と、
前記表示手段に表示された複数の料金プランから１つの料金プランを選択する入力が可能な入力手段と、
前記入力手段で選択した料金プランを前記情報センターに送信する送信手段と、
前記選択した料金プランに対応した電力の制御プランを前記情報センターから前記受信手段が受信した場合に、該受信した制御プランを前記表示手段に表示させる制御手段と、
を備える電力監視装置。
【請求項２】
前記制御手段は、前記受信手段が受信した制御プランに基づき、建物に供給される電力量を制御すると共に、前記建物が有する蓄電池の充放電を制御する請求項１に記載の電力監視装置。
【請求項３】
前記制御手段は、前記建物に供給される電力量を複数段階で変更可能であり、前記制御プランにおいて前記建物に供給される電力が低廉になる時間帯では前記建物に供給される電力量を増大させる制御を行い、前記制御プランにおいて前記建物に供給される電力が高額になる時間帯では前記建物に供給される電力量を減少させる制御を行う請求項２に記載の電力監視装置。
【請求項４】
前記建物の使用電力量を計測する使用電力量計測手段をさらに備え、
前記受信手段は、前記建物に供給される電力量の情報を前記情報センターから受信し、
前記制御手段は、前記使用電力量計測手段による前記建物の使用電力量と前記建物に供給される電力量とを比較し、建物に供給される電力量が不足すると判断した場合には前記蓄電池に蓄えられた電力を放電させ、建物に供給される電力に余裕が生じたと判断した場合には該余剰電力で前記蓄電池を充電する制御を行う請求項３に記載の電力監視装置。
【請求項５】
前記制御手段は、前記制御プランにおいて前記建物に供給される電力が低廉になる時間帯で前記蓄電池を充電する制御を行う請求項３又は４に記載の電力監視装置。
【請求項６】
前記情報センターは、前記電力の料金プラン又は前記電気料金が変更された場合に、該変更に係る電力の料金プラン又は電気料金に係る最新の情報を電力会社から取得すると共に、該変更に係る電力の料金プラン又は電気料金が長期的に適用されるか否かを示す情報を取得し、長期的に適用される場合には該変更に係る電力の料金プラン又は電気料金に基づいて前記建物の電気料金が最廉価となるように前記建物に供給される電力の制御プランを刷新する請求項１〜５のいずれか１項に記載の電力監視装置。
【請求項７】
前記情報センターは、前記制御プランを設定する際に、前記蓄電池を充電する理由及び前記蓄電池を放電する理由を、前記蓄電池を充電する指示及び前記蓄電池を放電する指示に各々併記し、
前記制御手段は、前記制御プランに従って、前記蓄電池の充電を制御する場合には前記併記された前記蓄電池を充電する理由を、前記蓄電池の放電を制御する場合には前記兵器だれた前記蓄電池を放電する理由を、前記表示手段に各々表示させる請求項１〜６のいずれか１項に記載の電力監視装置。
【請求項８】
前記蓄電池の蓄電量を計測する蓄電量計測手段をさらに備え、
前記送信手段は、前記蓄電量計測手段が計測した前記蓄電池の蓄電量の情報を前記情報センターに送信し、
前記情報センターは、前記蓄電池の蓄電量の情報及び前記電力会社から取得した計画停電の予定に係る情報に基づいて、前記計画停電での前記蓄電池の充放電に係る制御プランを設定し、
前記受信手段は、前記情報センターから前記計画停電での前記蓄電池の充放電に係る制御プラン受信し、
前記制御手段は、前記計画停電での前記蓄電池の充放電に係る制御プランを前記表示手段に表示すると共に、前記計画停電での前記蓄電池の充放電に係る制御プランに基づいて前記蓄電池の充放電を制御する請求項１〜７のいずれか１項に記載の電力監視装置。
【請求項９】
前記蓄電池は、前記建物に備え付けの蓄電池と前記建物と電気的に接続される車両に搭載された車両用蓄電池とを含み、
前記制御手段は、前記入力手段を介して入力された前記車両が使用される予定に基づき、前記車両が使用予定でないときは、前記車両用蓄電池に蓄えられた電力を放電させて得た電力を前記建物に供給する制御を行う請求項２〜８のいずれか１項に記載の電力監視装置。
【発明の詳細な説明】
【技術分野】
【０００１】
本発明は、建物に供給される電力を制御する電力監視装置に関する。
【背景技術】
【０００２】
以前から、安価に電気が使用できる時間帯を容易に知ることができる技術があった。
【０００３】
例えば、特許文献１に記載の技術では、電力会社の時間帯別電気料金体系における時間帯別の電気料金単価の情報に基づき、時計手段で計時される時刻が属する時間帯の電気料金単価と、当該時間帯に続く次の時間帯の電気料金単価とを報知手段に報知させる電力監視システムが提案されている。
【先行技術文献】
【特許文献】
【０００４】
【特許文献１】特開２０１１−１６０６０７号公報
【発明の概要】
【発明が解決しようとする課題】
【０００５】
しかしながら、特許文献１に記載の技術は、各時間帯での電気料金単価を報知するものの、電気料金単価の情報に基づいて建物に供給される電力の制御を行うことが考慮されていないという問題点があった。
【０００６】
本発明は、上記事実を考慮して成されたもので、電気料金の情報に基づいて建物に供給される電力の制御を行う電力監視装置を提供することを目的とする。
【課題を解決するための手段】
【０００７】
上記課題を解決するための請求項１の発明は、複数の料金プラン及び電気料金に係る情報を情報センターから受信する受信手段と、前記受信手段が受信した複数の料金プラン及び電気料金に係る情報を表示する表示手段と、前記表示手段に表示された複数の料金プランから１つの料金プランを選択する入力が可能な入力手段と、前記入力手段で選択した料金プランを前記情報センターに送信する送信手段と、前記選択した料金プランに対応した電力の制御プランを前記情報センターから前記受信手段が受信した場合に、該受信した制御プランを前記表示手段に表示させる制御手段と、を備える。
【０００８】
請求項１に記載の発明によれば、建物の電力の料金プラン及び電気料金の情報に基づいて建物の電力供給及び蓄電池の充放電を制御する制御プランを設定できる。
【０００９】
請求項２の発明は、請求項１に記載の発明において、前記制御手段は、前記受信手段が受信した制御プランに基づき、建物に供給される電力量を制御すると共に、前記建物が有する蓄電池の充放電を制御す。
【００１０】
請求項２に記載の発明によれば、建物の電力の料金プラン及び電気料金の情報に基づいて建物の電力供給及び蓄電池の充放電を制御することが可能となる。
【００１１】
請求項３の発明は、請求項２に記載の発明において、前記制御手段は、前記建物に供給される電力量を複数段階で変更可能であり、前記制御プランにおいて前記建物に供給される電力が低廉になる時間帯では前記建物に供給される電力量を増大させる制御を行い、前記制御プランにおいて前記建物に供給される電力が高額になる時間帯では前記建物に供給される電力量を減少させる制御を行う。
【００１２】
請求項３に記載の発明によれば、電気料金が低廉な時間帯では建物に供給される電力量を増大させ、電気料金が高額な時間帯では建物に供給される電力量を減少させることが可能となる。
【００１３】
請求項４の発明は、請求項３に記載の発明において、前記建物の使用電力量を計測する使用電力量計測手段をさらに備え、前記受信手段は、前記建物に供給される電力量の情報を前記情報センターから受信し、前記制御手段は、前記使用電力量計測手段による前記建物の使用電力量と前記建物に供給される電力量とを比較し、建物に供給される電力量が不足すると判断した場合には前記蓄電池に蓄えられた電力を放電させ、建物に供給される電力に余裕が生じたと判断した場合には該余剰電力で前記蓄電池を充電する制御を行う。
【００１４】
請求項４に記載の発明によれば、建物で電力が不足するおそれがある場合には蓄電池の電力を使用し、建物の電力に余裕がある場合には、蓄電池を充電することが可能となる。
【００１５】
請求項５の発明は、請求項３又は４に記載の発明において、前記制御手段は、前記制御プランにおいて前記建物に供給される電力が低廉になる時間帯で前記蓄電池を充電する制御を行う。
【００１６】
請求項５に記載の発明によれば、電気料金が割安な時間帯に蓄電池の充電が可能となる。
【００１７】
請求項６の発明は、請求項１〜５のいずれか１項に記載の発明において、前記情報センターは、前記電力の料金プラン又は前記電気料金が変更された場合に、該変更に係る電力の料金プラン又は電気料金に係る最新の情報を電力会社から取得すると共に、該変更に係る電力の料金プラン又は電気料金が長期的に適用されるか否かを示す情報を取得し、長期的に適用される場合には該変更に係る電力の料金プラン又は電気料金に基づいて前記建物の電気料金が最廉価となるように前記建物に供給される電力の制御プランを刷新する。
【００１８】
請求項６に記載の発明によれば、料金プラン又は電気料金の変更が長期的な場合は、建物の電力供給及び蓄電池の充放電を制御に係る制御プランを全面的に変更することが可能となる。
【００１９】
請求項７の発明は、請求項１〜６のいずれか１項に記載の発明において、前記情報センターは、前記制御プランを設定する際に、前記蓄電池を充電する理由及び前記蓄電池を放電する理由を、前記蓄電池を充電する指示及び前記蓄電池を放電する指示に各々併記し、前記制御手段は、前記制御プランに従って、前記蓄電池の充電を制御する場合には前記併記された前記蓄電池を充電する理由を、前記蓄電池の放電を制御する場合には前記兵器だれた前記蓄電池を放電する理由を、前記表示手段に各々表示させる。
【００２０】
請求項７に記載の発明によれば、制御手段が制御プランに従って蓄電池の充放電を行う場合に、充放電の理由をユーザに報知することが可能となる。
【００２１】
請求項８の発明は、請求項１〜７のいずれか１項に記載の発明において、前記蓄電池の蓄電量を計測する蓄電量計測手段をさらに備え、前記送信手段は、前記蓄電量計測手段が計測した前記蓄電池の蓄電量の情報を前記情報センターに送信し、前記情報センターは、前記蓄電池の蓄電量の情報及び前記電力会社から取得した計画停電の予定に係る情報に基づいて、前記計画停電での前記蓄電池の充放電に係る制御プランを設定し、前記受信手段は、前記情報センターから前記計画停電での前記蓄電池の充放電に係る制御プラン受信し、前記制御手段は、前記計画停電での前記蓄電池の充放電に係る制御プランを前記表示手段に表示すると共に、前記計画停電での前記蓄電池の充放電に係る制御プランに基づいて前記蓄電池の充放電を制御する。
【００２２】
請求項８に記載の発明によれば、計画停電に対応した制御プランを設定し、当該制御プランに基づいて蓄電池の電力を建物に供給することが可能となる。
【００２３】
請求項９の発明は、請求項２〜８のいずれか１項に記載の発明において、前記蓄電池は、前記建物に備え付けの蓄電池と前記建物と電気的に接続される車両に搭載された車両用蓄電池とを含み、前記制御手段は、前記入力手段を介して入力された前記車両が使用される予定に基づき、前記車両が使用予定でないときは、前記車両用蓄電池に蓄えられた電力を放電させて得た電力を前記建物に供給する制御を行う。
【００２４】
請求項９に記載の発明によれば、建物に接続されている車両の蓄電池に蓄えられた電力を建物で使用することが可能となる。
【発明の効果】
【００２５】
以上説明したように、請求項１に記載の発明は、建物の電力の料金プラン及び電気料金の情報に基づいて建物の電力供給及び蓄電池の充放電を制御する制御プランを設定することにより、電気料金の情報に基づいて建物に供給される電力の制御を行うことができるという効果を有する。
【００２６】
請求項２に記載の発明によれば、制御プランに基づいて建物の電力供給及び蓄電池の充放電を制御することにより、電気料金の情報に基づいて建物に供給される電力の制御を行うことができるという効果を有する。
【００２７】
請求項３に記載の発明によれば、電気料金が割安な時間帯に蓄電池を充電できるので、建物の電気代を節約できるという効果を有する。
【００２８】
請求項４に記載の発明によれば、建物の使用電力量に応じて蓄電池の充放電を制御することにより、建物に使用電力量が時間帯によって変動した場合であっても、必要な電力を賄うことができるという効果を有する。
【００２９】
請求項５に記載の発明によれば、電気料金が割安な時間帯に蓄電池を充電することにより、電力の有効活用を図ることができるという効果を有する。
【００３０】
請求項６に記載の発明によれば、電力の料金プラン又は電気料金の変更が長期的に適用される場合は、変更後の料金プラン又は電気料金に対応した制御プランを新たに設定することにより、状況に適応した電力供給及び蓄電池の充放電の制御ができるという効果を奏する。
【００３１】
請求項７に記載の発明によれば、蓄電池の充放電の際に、充放電の理由をユーザに報知することにより、ユーザが納得できるという効果を有する。
【００３２】
請求項８に記載の発明によれば、計画停電の長さと蓄電池の蓄電量とを考慮して、計画停電中に蓄電池の電力を有効活用できるという効果を有する。
【００３３】
請求項９に記載の発明によれば、建物の蓄電池に加えて車両の蓄電池の電力を活用できるという効果を有する。
【図面の簡単な説明】
【００３４】
【図１】本発明の実施の形態に係る電力監視装置が使用される状況の一例を示す概略図である。
【図２】本発明の実施の形態に係る分電盤を中心とした電気的な接続の一例を示す概略図である。
【図３】本発明の実施の形態に係る電力監視装置であるＨＥＭＳの概略構成を示すブロック図である。
【図４】本発明の実施の形態に係る情報センターでの制御プランの設定に係る処理を示したフローチャートである。
【図５】本発明の実施の形態に係るＨＥＭＳでの電力制御処理を示したフローチャートである。
【発明を実施するための形態】
【００３５】
以下、図面を参照して本発明の実施の形態の一例を詳細に説明する。図１は、本発明の実施の形態に係る電力監視装置が使用される状況の一例を示す概略図である。本実施の形態では、系統電力１２からの電力が、建物１０の分電盤１４に供給されている。
【００３６】
系統電力１２はネットワーク６０又は専用線等を介して情報センター８０と通信可能に接続されており、情報センター８０は、系統電力１２の電力会社から、電力の料金プラン及び電気料金に係る情報を取得する。
【００３７】
本実施の形態における電力の料金プランとは、使用電力量に応じて料金が加算される従量電灯、昼間と夜間とで電気料金の単価が異なる時間帯別電灯、及び時間帯別電灯をさらに細分化した３時間帯別電灯等をいう。
【００３８】
時間帯別電灯では、一例として、７時から２３時までは１ｋＷｈあたりの電気料金が高く、２３時〜翌朝７時までは電気料金が低廉となっている。
【００３９】
３時間帯別電灯では、一例として、９時から１７時までは１ｋＷｈあたりの電気料金が最も高く、７時〜９時及び１７時〜２３時では電気料金が２番目に高く、２３時〜翌朝７時までは電気料金が最も低廉となっている。
【００４０】
また、本実施の形態では、電気料金に係る情報は、従量電灯の料金プランに係る電気料金の単価並びに時間帯別電灯及び３時間帯別電灯で規定された各々の時間帯における電気料金の例えば１ｋＷｈあたりの単価である。
【００４１】
系統電力１２から分電盤１４に供給された電力は、電力負荷手段である家電機器２０及び住設機器２２に後述する分岐ブレーカー及び分岐回路を介して供給される。また、系統電力１２から供給された電力を充電できる蓄電池９０が分電盤１４には接続されている。
【００４２】
本実施の形態では、分電盤１４に車両連結部２６を介して接続されたＥＶ（Electric Vehicle）、ＨＶ（Hybrid Vehicle）又はＰＨＶ（Plug-in Hybrid Vehicle）等である車両１８の車両用蓄電池２８を充電することが可能であり、その逆に、車両用蓄電池２８から分電盤１４に電力を供給することも可能である。
【００４３】
車両用蓄電池から取り出される電力は直流であるが、各車両が備えるインバータ（図示せず）によって、単相２線式１００Ｖで５０Ｈｚ又は６０Ｈｚの交流に変換して、後述する車両連結部２６を介して、分電盤１４へ供給する。
【００４４】
車両連結部２６は、ケーブルによって車両と接続されることにより、分電盤１４と車両とを電気的に接続するコネクタである。当該コネクタは、分電盤１４からの電力を車両に供給する又は車両の電力を分電盤１４に供給するための電力線の端子と、建物内のエネルギーの管理や制御を行う電力監視装置であるＨＥＭＳ（Home Energy ManagementSystem）３０と車両との通信に係る情報線の端子を有してもよい。
【００４５】
車両連結部２６は、ＨＥＭＳ３０の制御によって車両１８へ電力の供給を行い、車両用蓄電池２８を充電する。また、車両連結部２６は、ＨＥＭＳ３０の制御に従って、車両用蓄電池２８の放電によって得た電力を、分電盤１４に供給する。
【００４６】
ＨＥＭＳ３０は、車両連結部２６と車両連結部２６に接続されている車両１８との間の電流をモニターして、車両連結部２６を介して車両用蓄電池２８が充電されているか、又は車両用蓄電池２８の放電により、車両１８の電力が分電盤１４に供給されているかを把握可能であるとする。
【００４７】
さらにＨＥＭＳ３０は、ネットワーク６０を介して情報センター８０と通信可能に接続されており、情報センター８０から建物１０の電力供給及び蓄電池９０の充放電に係る制御プランを取得する。
【００４８】
図２は、本実施の形態に係る分電盤１４を中心とした電気的な接続の一例を示す概略図である。図２では、系統電力１２の電力は、主幹ブレーカー１００を介して分電盤１４に供給されている。なお、図２において実線は電力が供給される電力線、破線は計測データ又は制御情報が流れる情報線であるとする。
【００４９】
分電盤１４は、複数の分岐ブレーカー１４１〜１４４を有し、分岐ブレーカー１４１は分岐回路１５１に、分岐ブレーカー１４２は分岐回路１５２に、分岐ブレーカー１４３は分岐回路１５３に、分岐ブレーカー１４４は分岐回路１５４に、各々対応している。
【００５０】
分岐回路１５１〜１５３の各々には電力負荷等が接続されていて、例えば、分岐回路１５１には家電機器２０が、分岐回路１５２には住設機器２２が、分岐回路１５３にはＥＶ、ＨＶ又はＰＨＶが電気的に接続される車両連結部２６が、各々接続されている。
【００５１】
分岐回路１５４には蓄電池９０が接続されている。
【００５２】
また、分岐回路１５１〜１５３には分岐回路１５１〜１５３の電流値を計測する電流センサ１６１〜１６３が各々設けられている。電流センサ１６１〜１６３からの情報線は、ＨＥＭＳ３０が分電盤１４を制御するための情報線と共にＨＥＭＳ３０に接続されている。ＨＥＭＳ３０は、電流センサ１６１〜１６３によって計測された電流値に基づいて分岐回路１５１〜１５３における消費電力量を算出し、これらを合計して建物１０の消費電力量を算出できる。
【００５３】
また、蓄電池９０の分岐回路１５４に接続されている端子には、分岐回路１５４の電流値を計測可能であると共に、蓄電池９０の電圧値を計測可能であって、さらにはＨＥＭＳ３０からの制御信号を受信可能な蓄電池制御用インターフェース１７１が設けられている。
【００５４】
蓄電池９０には、鉛蓄電池、ニッケル水素電池又はリチウムイオン電池等の、充放電が可能な二次電池が使用される。これらの二次電池の１セルは、起電力が略１〜２Ｖなので、本実施の形態では、複数のセルを直列にして所望の電圧が得られるようにしている。さらに所望の電圧を得られるように直列に接続された複数のセルからなる集合体を複数並列に束ねパッケージ化することで、所望の電流が得られるようにしている。
【００５５】
また、パッケージ化された蓄電池９０には、分電盤１４を介して供給される交流（例えば、１００Ｖ、５０Ｈｚ）を、蓄電池の充電に適した電圧の直流に変換すると共に、蓄電池９０が放電した直流を分電盤１４から家電機器２０及び住設機器２２に供給される交流に変換可能な双方向インバータ等の変換手段（図示せず）が設けられている。
【００５６】
さらに、蓄電池９０は、蓄電池９０の充放電を制御する充放電制御回路（図示せず）を備え、前述のインバータと共に、蓄電池制御用インターフェース１７１を介してＨＥＭＳ３０によって制御される。
【００５７】
ＨＥＭＳ３０は、蓄電池９０に設けられた蓄電池制御用インターフェース１７１が計測した蓄電池９０の電圧値に基づいて、蓄電池９０の蓄電量をモニターしており、建物１０の消費電力量が一定の水準を超えた場合には、蓄電池９０を放電させ、放電によって得た電力を建物で使用するようにする。
【００５８】
また、ＨＥＭＳ３０は、情報センター８０が系統電力１２の電気料金等の情報に基づいて設定した制御プランに基づいて蓄電池９０の充放電を制御する。
【００５９】
制御プランは、例えば、電気料金が低廉な時間帯に蓄電池９０を上限まで充電するように設定されている。
【００６０】
また、ＨＥＭＳ３０は、分電盤１４を制御することにより、系統電力１２とのいわゆる契約アンペア値の範囲内で、系統電力１２から供給される電力の上限値を任意に設定することができる。
【００６１】
図３は、本実施の形態に係る電力監視装置であるＨＥＭＳ３０の概略構成を示すブロック図である。
【００６２】
ＨＥＭＳ３０は、コンピュータを含んで構成されており、図３に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００６３】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００６４】
表示部４６は、情報センター８０から後述するネットワークインターフェース３４を介して受信した複数の料金プラン及び電気料金に係る情報を表示可能である。また、操作部４８は、表示部４６に表示された複数の料金プランから１つの料金プランを選択する入力が可能である。
【００６５】
メモリ５０には、上述した建物１０へ供給する電力の制御を行うプログラム、家電機器２０及び住設機器２２等を制御するプログラム、車両用蓄電池２８の充放電を制御するプログラム、蓄電池９０の充放電を制御するプログラム、契約アンペア値の範囲内で、系統電力から供給される電力の目標上限値を任意に設定するプログラム、情報センター８０から取得した制御プラン並びにこれらのプログラムを実行するための各種情報等が記憶されている。
【００６６】
ＨＥＭＳは、メモリ５０に記憶されたプログラムをＲＡＭ４０等に展開してＣＰＵ３６で実行することにより、建物１０へ供給する電力の制御等の各種制御を行うようになっている。
【００６７】
さらに、入出力ポート４２には、分電盤１４、蓄電池制御用インターフェース１７１、車両連結部２６及びネットワーク６０に接続されるネットワークインターフェース３４等が接続されている。
【００６８】
本実施の形態では、ＨＥＭＳ３０は、ネットワークインターフェース３４を介して、選択した料金プランを情報センター８０に送信し、情報センター８０から選択した料金プランに対応した制御プランを受信する。
【００６９】
受信した制御プランは、表示部４６に表示される。
【００７０】
続いて、本実施の形態に係る情報センター８０及びＨＥＭＳ３０の制御について説明する。
【００７１】
図４は、本発明の実施の形態に係る情報センター８０での制御プランの設定に係る処理を示したフローチャートである。
【００７２】
ステップ４００では、系統電力１２の電力会社から料金プラン及び電気料金の単価の情報を取得する。料金プランには、前述のように、使用電力量に応じて料金が加算される従量電灯、昼間と夜間とで電気料金の単価が異なる時間帯別電灯、及び時間帯別電灯をさらに細分化した３時間帯別電灯等がある。
【００７３】
ステップ４０２では、料金プラン及び電気料金の単価の情報を建物１０に送信する。
【００７４】
ステップ４０４では、建物１０からネットワーク６０を介して料金プランを選択してきたか否かが判定され、肯定判定の場合は、ステップ４０６で選択された料金プランは従量電灯か否かが判定される。
【００７５】
ステップ４０６で肯定判定の場合は、ステップ４０８で、従量電灯用の制御プランを作成する。従量電灯では、時間帯によって電気料金の単価は変化しない。そのため、一例として、建物１０において消費電力量に対して電力の供給量に余裕がある場合に蓄電池９０の充電をし、建物１０において電力の供給量が不足する場合に蓄電池９０の放電をするように制御プランを設定する。
【００７６】
また、本実施の形態では、ＨＭＥＳ３０が制御プランに基づいて蓄電池９０の充放電を制御しているときは、蓄電池９０が充放電される理由を表示部４６に表示する。そのため、従量電灯用の制御プランでは蓄電池９０の充電の制御に係る記載に「電力供給に余裕があるので蓄電池を充電しています」等のコメントを併記してもよい。
【００７７】
ＨＥＭＳ３０は、制御プランに基づいて蓄電池９０の充電を行う場合には、上記のコメントを表示部４６に表示するようにする。
【００７８】
また、従量電灯用の制御プランにおいて、蓄電池９０の放電の制御に係る記載に「電力が不足気味ですので蓄電池の電力を使用します」等のコメントを併記し、ＨＥＭＳ３０は、制御プランに基づいて蓄電池９０の放電を行う場合には、上記のコメントを表示部４６に表示してもよい。
【００７９】
なお、電力に余裕があるか否かは、建物１０に供給される電力量の情報を情報センター８０から受信し、建物１０の使用電力量と建物１０に供給される電力量とを比較することによって判断してもよい。
【００８０】
建物１０に供給される電力量は、例えば、系統電力１２が建物１０の属する地域に供給可能な電力量を、当該地域の戸数で除算して得た商であってもよい。
【００８１】
ステップ４０６で否定判定の場合、指定された料金プランは時間別電灯又は３時間別電灯であるから、ステップ４１０で時間別電灯用又は３時間別電灯用の制御プランを作成する。
【００８２】
本実施の形態では、ＨＥＭＳ３０が分電盤１４を制御して、契約アンペア値の範囲内で系統電力１２から供給される電力の上限値を任意に設定できる場合、時間別料金プラン又は３時間別料金プランの電気料金の高低に応じて供給される電力の上限値を制御する。
【００８３】
具体的には、時間別料金プラン又は３時間別料金プランにおいて建物１０に供給される電力が低廉になる時間帯では建物１０に供給される電力の上限値を引き上げる制御をするように制御プランを設定する。
【００８４】
また、時間別料金プラン又は３時間別料金プランにおいて建物１０に供給される電力が高額になる時間帯では建物１０に供給される電力の上限を引き下げる制御をするように制御プランを設定する。
【００８５】
蓄電池９０の充放電の制御は、前述の従量電灯の場合と同様に、建物１０において消費電力量に対して電力の供給量に余裕がある場合に蓄電池９０の充電をし、建物１０において電力の供給量が不足する場合に蓄電池９０の放電をするように制御プランを設定する。
【００８６】
又は、建物１０に供給される電力が低廉になる時間帯で蓄電池９０を充電する制御を行うように制御プランを設定してもよい。
【００８７】
かかる制御を行う場合、制御プランの当該制御に係る記載に「電気料金が割安なので蓄電池を充電しています」等のコメントを併記し、ＨＥＭＳ３０は、制御プランに基づいて蓄電池９０の充電を行う場合には、上記のコメントを表示部４６に表示してもよい。
【００８８】
また、建物１０に供給される電力が高額になる時間帯で蓄電池９０を放電する制御を行うように制御プランを設定してもよい。
【００８９】
かかる制御を行う場合、制御プランの当該制御に係る記載に「電気料金が割高なので蓄電池の電力を使用します」等のコメントを併記し、ＨＥＭＳ３０は、制御プランに基づいて蓄電池９０の充電を行う場合には、上記のコメントを表示部４６に表示してもよい。
【００９０】
ステップ４１２では、ステップ４０８又はステップ４１２で設定した制御プランを建物１０に送信して、制御プランを設定する処理を終了する。
【００９１】
なお、本実施の形態では、電力の料金プラン又は電気料金の単価が変更された場合は、それが数日程度の一時的な変更なのか、数週間から数カ月の長期間にわたって適用される変更なのかを系統電力１２の電力会社に問い合わせる。
【００９２】
問い合わせた結果、当該変更が長期間にわたって適用される場合には、図４の手順に従って、制御プランを刷新し、刷新した制御プランを建物１０に送信する。
【００９３】
続いて、本実施の形態におけるＨＥＭＳ３０の制御について説明する。
【００９４】
図５は、本発明の実施の形態に係るＨＥＭＳ３０での電力制御処理を示したフローチャートである。図５は料金プランが時間別電灯の場合であり、処理に必要な時間別電灯用の制御プランは予め情報センター８０から取得してあるものとする。
【００９５】
まず、ステップ５００では、現在時刻は、制御プランにおいて電気料金が廉価な時間帯か否かが判定される。
【００９６】
ステップ５００で肯定判定の場合、ステップ５０２で電力供給の上限値を第１の上限値に設定する。
【００９７】
本実施の形態で第１の上限値は、契約アンペアと同一又は契約アンペアよりも５Ａ程度低い値とすることが考えられる。
【００９８】
ステップ５０４では、蓄電池９０の充電を行い、ステップ５０６では、蓄電池９０を充電している理由を表示部４６に表示する。
【００９９】
一方で、ステップ５００で否定判定の場合は、ステップ５０２で電力供給の上限値を第２の上限値に設定する。
【０１００】
本実施の形態で第１の上限値は、契約アンペアよりも１０Ａ程度低い値とすることが考えられる。
【０１０１】
ステップ５０４では、蓄電池９０の放電を行い、ステップ５０６では、蓄電池９０を放電している理由を表示部４６に表示する。
【０１０２】
以上のように、本実施の形態では、制御プランに基づいて建物１０への電力の供給及び蓄電池９０の充放電が制御される。
【０１０３】
図５は、料金プランが時間別電灯の場合について説明しているが、３時間別電灯の場合は、電気料金が最も低廉になる時間帯に図５のステップ５０２〜５０６の手順を実行し、電気料金が２番目に廉価な時間帯では電力供給の上限を契約アンペアよりも５〜７Ａ程度低い第３の上限値に設定し、蓄電池９０の充放電は行わないようにしてもよい。
【０１０４】
さらに３時間別電灯の場合で、電気料金が最も高額になる時間帯では、図５のステップ５０８〜５１２の手順を実行するようにしてもよい。
【０１０５】
また、図５では、電気料金が低廉な時間帯に蓄電池９０の充電を行い、電気料金が高額な時間帯に蓄電池９０の放電を行うようにしたが、建物１０に供給される電力と消費電力量との関係に基づいて蓄電池９０の充放電を行うように制御プランを設定してもよい。
【０１０６】
本実施の形態では、分岐回路１５１〜１５３に各々設けられた電流センサ１６１〜１６３によって計測された電流値に基づいて分岐回路１５１〜１５３における消費電力量を算出し、これらを合計して建物１０の消費電力量を算出できる。
【０１０７】
算出した建物１０の消費電力量が、建物１０の契約アンペアに規定される上限値を超えるおそれがある場合に、建物１０において電力の供給量を消費電力量が超えそうな場合とみなし、蓄電池９０の放電をするように制御プランを設定する。
【０１０８】
消費電力量が、建物１０の契約アンペアに規定される上限値を超えるおそれがある場合か否かを判定する方法は種々考えられるが、一例として、建物１０の契約アンペアの９５％に相当する電力量である第１の閾値を消費電力量が超えたか否かで判定することができる。
【０１０９】
また、消費電力量が、契約アンペアの５０％に相当する電力量である第２の閾値を下回ったときに、建物１０供給される電力に余裕があると判定して、蓄電池９０を充電するように制御プランを設定してもよい。
【０１１０】
なお、本実施の形態では、ＨＥＭＳ３０は、取得した制御プランに基づいて自動的に電力供給及び蓄電池９０の充放電を制御したが、取得した制御プランの内容を表示部４６に表示して、ユーザに確認させるようにしてもよい。
【０１１１】
さらに本実施の形態では、蓄電池制御用インターフェース１７１を介して計測した蓄電池９０の電圧値から蓄電池９０の蓄電量を算出し、算出した蓄電量の情報をネットワークインターフェース３４から情報センター８０に送信してもよい。
【０１１２】
情報センター８０は、蓄電池９０の蓄電量の情報及び系統電力の電力会社から取得した計画停電の予定に係る情報に基づいて、計画停電での蓄電池９０の充放電に係る制御プランを設定してもよい。
【０１１３】
計画停電時に設定される制御プランは一例として、計画停電が予定されている時間帯での建物の電力消費量の傾向を考慮して、蓄電池９０の蓄電量で計画停電が予定されている間の建物１０の消費電力量を賄えるか否かを判定する。
【０１１４】
蓄電池９０の蓄電量で建物１０の消費電力量を賄える場合は、蓄電池９０を放電させ、蓄電池９０の蓄電量で建物１０の消費電力量を賄えない場合は、分岐ブレーカー１４１〜１４３のいずれかをオフにするように制御プランを設定してもよい。
【０１１５】
さらには、分岐ブレーカー１４１〜１４３の優先順位を予め決めておき、決定した優先順位は情報センター８０に送信し、情報センター８０は当該優先順位に従って、分岐ブレーカー１４１〜１４３をオフにする制御プランを設定するようにしてもよい。
【０１１６】
ＨＥＭＳ３０は、ネットワークインターフェース３４を介して情報センター８０から計画停電での蓄電池９０の充放電に係る制御プラン取得し、取得した制御プランを表示部４６に表示し、当該制御プランに基づいて前記蓄電池の充放電を制御する。
【０１１７】
また、本実施の形態では、操作部４８の操作により車両１８が使用される予定をＨＥＭＳ３０に登録可能でもよく、車両１８が使用予定でないときは、車両用蓄電池２８に蓄えられた電力を放電させて得た電力を建物１０に供給するようにしてもよい。
【符号の説明】
【０１１８】
１０    建物
１２    系統電力
１４    分電盤
１８    車両
２６    車両連結部
２８    車両用蓄電池
３０    ＨＥＭＳ
３４    ネットワークインターフェース
３６    ＣＰＵ
３８    ＲＯＭ
４０    ＲＡＭ
４２    入出力ポート
４６    表示部
４８    操作部
５０    メモリ
６０    ネットワーク
８０    情報センター
９０    蓄電池
１４１、１４２、１４３、１４４    分岐ブレーカー
１５１、１５２、１５３、１５４    分岐回路
１６１、１６２、１６３    電流センサ
１７１    蓄電池制御用インターフェース
【図１】
2013236517.tif 000003
【図２】
2013236517.tif 000004
【図３】
2013236517.tif 000005
【図４】
2013236517.tif 000006
【図５】
2013236517.tif 000007